(57)【要約】【課題】省スペースで灰皿蓋を確実に収納でき、かつ灰皿蓋を上方に跳ね上げる態様の遊技機よりも見栄えがよい遊技機を提供する。【解決手段】遊技機本体１の前面に設けられ、吸殻を貯留するための開口部３０２が形成された灰皿本体３と、開口部３０２を覆う平板形状の灰皿蓋４とを有する遊技機において、灰皿蓋４を収納する収納領域を形成するための収納領域形成部が、遊技機本体１の前面に対向する灰皿本体３の後端面に設けられたことを特徴とする。【選択図】図２
2005040295.tif 000002
【特許請求の範囲】
【請求項１】
遊技機本体の前面に設けられ、吸殻を貯留するための開口部が形成された灰皿本体と、前記開口部を覆う平板形状の灰皿蓋とを有する遊技機において、前記灰皿蓋を収納する収納領域を形成するための収納領域形成部が、前記遊技機本体の前面に対向する前記灰皿本体の後面に設けられたことを特徴とする遊技機。
【請求項２】
前記灰皿本体が遊技機本体から離間可能に設置されたことを特徴とする請求項１に記載の遊技機。
【請求項３】
前記灰皿本体は、遊技機本体の前方方向に回動するように前記遊技機本体に取り付けられた灰皿支持部材に軸支され、前記灰皿蓋は、前記灰皿本体の後端部に回動可能に軸支されたことを特徴とする請求項１又は２に記載の遊技機。
【請求項４】
前記灰皿本体は、遊技機本体の前方方向に回動するように前記遊技機本体に取り付けられた灰皿支持部材に軸支され、前記灰皿蓋は回動可能に前記遊技機本体に軸支されたことを特徴とする請求項１又は２に記載の遊技機。
【請求項５】
前記灰皿本体は、前記開口部の開口方向が上方を向く第１の位置と、その第１の位置において遊技機本体の前面と対向する面が遊技機本体の前面から離間する第２の位置とに回動するように遊技機本体に取り付けられた灰皿支持部材に軸支され、前記灰皿蓋は、前記開口部を覆う位置と前記収納領域形成部によって形成される収納領域に収納される位置とに回動するように前記開口部の開口面とほぼ同一の高さとなる位置の遊技機本体側前面に前記灰皿蓋の一端を軸支したことを特徴とする請求項２に記載の遊技機。
【請求項６】
前記灰皿本体は、前記開口部の開口方向が上方を向く第１の位置と、その第１の位置において遊技機本体の前面と対向する面が遊技機本体の前面から離間する第２の位置とに回動するように遊技機本体に取り付けられた灰皿支持部材に軸支され、前記灰皿蓋は、前記開口部を覆う位置と前記収納領域形成部によって形成される収納領域に収納される位置とに回動するように前記開口部の開口面よりも上方の遊技機本体側縁部に前記灰皿蓋の一端を軸支したことを特徴とする請求項２に記載の遊技機。
【発明の詳細な説明】
【０００１】
【発明の属する技術分野】
本発明は、パチンコ遊技機に係り、例えば、遊技機本体の前面下部の下球皿に喫煙者用の灰皿を備えた遊技機に関するものである。
【０００２】
【従来の技術】
従来より、遊技店内の禁煙コーナーに設けられているパチンコ遊技機に灰皿が使用可能な状態で設けられていると、遊技者に使用されることがあって、禁煙の管理が難しくなる。このため、同一機種であっても、遊技店の判断によって、その設置場所（喫煙コーナー又は禁煙コーナー）に応じて、灰皿が使用可能状態なものと、灰皿が使用不能状態なものとに選択できるように、遊技機に灰皿蓋を設け、灰皿の開口部を蓋で覆った灰皿使用可能状態と、灰皿蓋を収納領域に納めた灰皿使用不能状態とに使い分けできる遊技機が発明されている。
【０００３】
そのような遊技機の具体的な構成は、パチンコ遊技機の下球皿に設置される灰皿は、その両側壁から水平方向へ軸が突設され、その軸を下球皿の収納凹部内側面に形成された孔に嵌入することで、軸を中心にして前方へ回動自在になっている。従って、清掃時には灰皿を前方に回動させることによって、灰皿の中に貯まった吸殻などの除去を簡単に行うことができる。
【０００４】
また、同様の遊技機の例としては、灰皿としての使用だけでなく、遊技者の意思に応じて、灰皿としての機能をなくして物品の保持台として使用できることを目的として、灰皿を灰皿蓋が覆う状態における上面に諸物品を載置可能な凹部を灰皿蓋に設けた遊技機（例えば、特許文献１）や、中空の球体を分割した形状をなす灰皿蓋を採用し、その灰皿蓋が遊技機本体の内部に収納されるように回動させた遊技機（例えば、特許文献２）があった。
【０００５】
【特許文献１】
特開２０００−１５７７００号公報（段落〔００１１〕−〔００２８〕、第４図及び第５図）
【特許文献２】
特開２００２−６６０６８号公報（段落〔００１３〕−〔００６０〕、第２図〜第４図）
【０００６】
【発明が解決しようとする課題】
しかしながら、特許文献１に記載の技術は、灰皿を使用する際の灰皿蓋の位置が、灰皿上部に位置する遊技機本体の前面に設けられた収納領域に嵌め込まれているだけなので、遊技機への振動によって回動した灰皿蓋が、遊技者の意に反して灰皿を覆うことがあった。また、灰皿を使用しないとき、すなわち灰皿蓋が灰皿を覆っている状態では、灰皿上部に位置し、遊技機本体の前面に設けられた前記灰皿蓋を嵌め込んで収納するための凹部が目立ち、遊技機全体として見栄えが悪いものとなっていた。
【０００７】
また、特許文献２に記載の技術は、灰皿蓋を収める構造を採用しているので、分割された中空球体形状の灰皿蓋を収容するための領域を、遊技機の内部に形成しなければならず、球通路を設けた機構板や基板等の装置類を多数設けるための領域を制限してしまう結果を招いていた。
【０００８】
本発明は上記問題点を鑑みてなされたものであり、本発明の目的は、省スペースで灰皿蓋を確実に収納でき、かつ灰皿蓋を上方に跳ね上げる態様の遊技機よりも見栄えがよい遊技機を提供することである。
【０００９】
【課題を解決するための手段】
上記課題を解決するための、請求項１記載の発明は、遊技機本体の前面に設けられ、吸殻を貯留するための開口部が形成された灰皿本体と、前記開口部を覆う平板形状の灰皿蓋とを有する遊技機において、前記灰皿蓋を収納する収納領域を形成するための収納領域形成部が前記遊技機本体の前面に対して前記灰皿本体が対向する面に設けられたことを特徴とする。
【００１０】
係る構成のように、前記灰皿本体に設けられた前記収納領域形成部が遊技機本体の前面と灰皿本体との間に灰皿蓋を収納する収納領域を形成するため、遊技機への振動が与えられた場合でも遊技者の意に反して灰皿蓋が灰皿を覆ってしまうことがない。また、前記収納領域は灰皿本体側に形成されるので、前記遊技機本体になんら加工を施すことなく、従来の遊技機本体に灰皿のユニットとして取り付けることができる。すなわち、遊技機本体内部に対する侵襲がないので、遊技機本体内部を有効に利用することができる。また、灰皿蓋の収納領域を遊技機本体の前面と灰皿本体との間に設けたため、収納領域は灰皿本体によって隠され、遊技者からは見えない位置となるので、見栄えのよい遊技機を提供することができる。ここで、前記収納領域形成部は、灰皿蓋の少なくとも一部を収納する領域を形成する部材であって、この収納領域形成部によって灰皿蓋の全部が収納されることが望ましい。また、前記収納領域形成部の形状は灰皿蓋の大きさ、特に灰皿蓋の厚さに基づいて設計される。灰皿蓋の肉厚よりも大に設計されていてもよいが、スペース効率を考慮すると収納領域の前後方向の大きさは灰皿蓋の肉厚以下とすることが望ましく、更には灰皿蓋の肉厚と略同一とされることが望ましい。
【００１１】
上記課題を解決するための、請求項２記載の発明は、請求項１に記載の遊技機において、前記灰皿本体が遊技機本体から離間可能に設置されたことを特徴とする。
【００１２】
係る構成とすることにより、前記灰皿本体を遊技機本体から離間させることで、前記灰皿蓋を前記収納部に収納しやすくなる。
【００１３】
上記課題を解決するための、請求項３記載の発明は、請求項１又は２に記載の遊技機において、前記灰皿本体は、遊技機本体の前方方向に回動するように前記遊技機本体に取り付けられた灰皿支持部材に軸支され、前記灰皿蓋は、前記灰皿本体の後端部に回動可能に軸支されたことを特徴とする。
【００１４】
係る構成とすることにより、前記灰皿蓋の紛失や盗難を防ぐことができ、かつ灰皿蓋と灰皿本体とを１つのユニットとして取り扱うことができ、結果として部材管理を好適に行うことができる。
【００１５】
上記課題を解決するための、請求項４記載の発明は、請求項１又は２に記載の遊技機において、前記灰皿本体は、遊技機本体の前方方向に回動するように前記遊技機本体に取り付けられた灰皿支持部材に軸支され、前記灰皿蓋は回動可能に前記遊技機本体に軸支されたことを特徴とする。
【００１６】
係る構成とすることにより、遊技者の意に反した前記灰皿本体の不用意な回動を、遊技機本体に回動可能に設置された灰皿蓋が抑制することができる。
【００１７】
上記課題を解決するための、請求項５記載の発明は、請求項２に記載の遊技機において、前記灰皿本体は、前記開口部の開口方向が上方を向く第１の位置と、その第１の位置において遊技機本体の前面と対向する面が遊技機本体の前面から離間する第２の位置とに回動するように遊技機本体に取り付けられた灰皿支持部材に軸支され、前記灰皿蓋は、前記開口部を覆う位置と前記収納領域形成部によって形成される収納領域に収納される位置とに回動するように前記開口部の開口面とほぼ同一の高さとなる位置の遊技機本体側縁部に前記灰皿蓋の一端を軸支したことを特徴とする。
【００１８】
上記課題を解決するための、請求項６記載の発明は、請求項２に記載の遊技機において、前記灰皿本体は、前記開口部の開口方向が上方を向く第１の位置と、その第１の位置において遊技機本体の前面と対向する面が遊技機本体の前面から離間する第２の位置とに回動するように遊技機本体に取り付けられた灰皿支持部材に軸支され、前記灰皿蓋は、前記開口部を覆う位置と前記収納領域形成部によって形成される収納領域に収納される位置とに回動するように前記開口部の開口面よりも上方の遊技機本体側縁部に前記灰皿蓋の一端を軸支したことを特徴とする。
【００１９】
【発明の実施の形態】
以下、本発明をその一種であるパチンコ遊技機（以下、「パチンコ機」という。）に具体化した一実施形態について図面を参照して説明する。
【００２０】
図１には、パチンコ機１０の前面側が略示されており、パチンコ機１０において機体の外郭をなす外枠１１の開口前面側には、各種の遊技機構成部材をセットする縦長方形の中枠１２が開閉及び着脱自在に組み付けられている。また、中枠１２の前面側には、機内部に配置された遊技盤１３を透視保護するためのガラス枠を備えた前枠１４と上球皿１５が共に横開き状態で開閉可能に組み付け整合されている。
【００２１】
また、前枠１４の前面側には、パチンコ機１０の各種遊技状態（図柄変動、大当り状態、賞球払出し状態など）に応じて点灯（点滅）・消灯などの発光装飾を行う電飾ランプ１６，１７が設けられている。なお、各電飾ランプ１６，１７の表面（レンズ部材の表面）は、例えば、赤色などの単一色で着色が施されている。さらに、中枠１２の下部には下球皿１８及び発射装置１９等が装着されている。
【００２２】
また、遊技盤１３の遊技領域の略中央には、図柄を可変させて図柄組み合わせゲームを行う図柄表示装置２０が配設されている。そして、図柄表示装置２０には、液晶画面からなる可視表示部２１が設けられており、当該可視表示部２１には、複数列（例えば、３列）の図柄が各列毎に表示されるようになっている。従って、遊技者は、可視表示部２１に表示された各列の図柄の組み合わせから大当り状態、リーチ状態、又は、はずれ状態の何れかの状態を認識することができる。例えば、可視表示部２１に表示された全列の図柄が同一の図柄である場合には、その組み合わせから大当り状態を認識することができる。そして、図柄組み合わせのゲームの結果、全列の図柄が同一の図柄からなる組み合わせとなった場合には、多数の遊技球（賞球）を獲得できるチャンスが遊技者に付与されるようになっている。
【００２３】
そして、本実施形態のパチンコ機１０は、外枠１１、中枠１２、前枠１４、上球皿１５及び下球皿１８などの各種の遊技機構成部材（以下、「構成部材」と言う。）本体の表面に模様層が施されている。具体的には、これらの構成部材本体の表面のうち、製品形態に組み付けられたパチンコ機１０（図１の状態）において、機前面側から遊技者が視認できる視認部位１１ａ，１２ａ，１４ａ，１５ａ，１８ａに模様層が施されている。
【００２４】
図２は、本実施形態の構成として、図１における構成部材のうち、灰皿を有する下球皿１８を、灰皿本体３とその灰皿本体３を支持する灰皿支持部材２とから構成された構成部材として模式的に示した図であり、図２（ａ）は下球皿１８の斜視図、図２（ｂ）は、図２（ａ）のＡ−Ａ断面図である。すなわち、本実施形態の説明においては、パチンコ機１０本体が、遊技機本体１と構成部材としての下球皿１８とから構成されることと定義し、下球皿１８は、灰皿本体３及びその灰皿本体３を回動するための灰皿支持部材２からなるものとして説明する。
【００２５】
図２（ａ）及び図２（ｂ）に示すように、本実施形態における遊技機は、遊技機本体１と、遊技機本体１の前面に離間して設置された灰皿支持部材２と、灰皿支持部材２に挟まれるように灰皿支持部材２に回動可能に設置され、上方に開口部３０２が形成された灰皿本体３と、灰皿本体３の開口部３０２を覆う灰皿蓋４とを有してなる。ここで、灰皿支持部材２は図１における下球皿１８に該当するものである。
【００２６】
また、遊技機本体１の前面には、灰皿蓋４を回動させるための灰皿蓋支持部材１０１が設けられており、この灰皿蓋支持部材１０１に形成された蓋用支持孔１０２に灰皿蓋４の端部に設けられた支持軸（図４参照）が嵌合することによって灰皿蓋４が回動可能となっている。また、灰皿蓋支持部材１０１の設置位置は、灰皿本体３の後面と遊技機本体１の前面とが略均等な距離をもって対向した状態において開口部３０２の開口面の後端近傍に、前記灰皿蓋４の支持軸（図示せず）の両端部に対応して２つ設置される。
【００２７】
図３は、本発明に係る遊技機の一実施形態における灰皿本体の構造及び灰皿支持部材の構成を示す斜視図であり、図３（ａ）は、本実施形態における灰皿本体の構造を示す斜視図であり、図３（ｂ）は、本実施形態において灰皿本体を除いた場合の構成を示す斜視図である。
【００２８】
図３（ａ）に示すように、灰皿本体３は、上方に開口した開口部３０２を有した箱形状をなす。そして、灰皿本体３を回動させるための支持軸３０１が灰皿本体３の両側面の前方方向下端部に突出して設けられている。また、灰皿本体３の後面には、灰皿本体３の両側面を延設した態様で収納領域形成部３０３が設けられている。この収納領域形成部３０３の突出寸法（遊技機本体１の前後方向において灰皿本体３から突出している寸法）は、灰皿蓋４の厚さ寸法よりも大に設計され、灰皿本体３の後面及び収納領域形成部３０３によって形成される空間（収納領域）は、灰皿蓋４全体を収納可能に設計される。
【００２９】
一方、灰皿本体３を支持する灰皿支持部材２は、図３（ｂ）に示すように、灰皿本体３の両端に位置するように遊技機本体１に設置され、支持軸３０１を受ける支持孔２０２が、灰皿支持部材２が相互に対向する面における前方方向下端部に支持軸３０１が嵌合するように凹形状をなしている。従って、支持軸３０１と支持孔２０２とが嵌合することによって、遊技機本体１の前面に突出するように相互に対向した灰皿支持部材２の間で灰皿本体３が、上方に向いた開口部を前面方向に向かせるように回動可能となる。そして、遊技者が灰皿を使用するときの位置に灰皿本体３の下面を係止するための係止片２０１が、灰皿支持部材２が相互に対向する各々の面における前方方向下端部に設けられ、それら係止片２０１は相互に対向する方向に突出して形成されている。ここで、本実施形態において、遊技者が灰皿を使用可能な灰皿本体３の位置（第１の位置）とは、灰皿本体３の開口部３０２が上方を向く位置であり、言い換えると、灰皿本体３の後面と遊技機本体１の前面とが略面一となるように対向している状態を指し、逆に遊技者が灰皿を使用不可な灰皿本体３の位置（第２の位置）とは、灰皿本体３が回動することによって灰皿本体３の後面と遊技機本体１の前面とが離間した状態を指す。
【００３０】
また、灰皿本体３の開口部３０２を覆うための灰皿蓋４の形状は、図４に示すように、平板形状の本体４０の一端面に蓋用支持孔１０２に嵌合させて灰皿蓋４を灰皿本体３に対して回動可能とするための蓋用支持軸４０１が形成されている。そしてこの蓋用支持軸４０１の両端部を、対向する２つの蓋用支持孔１０２にそれぞれ嵌合させることによって、灰皿蓋４は灰皿本体３に対して回動可能となる。
【００３１】
次に、本発明に係る遊技機の一実施形態における動作について図２及び図５〜図７を参照して以下に説明する。
【００３２】
図５〜図７は、本発明に係る遊技機の一実施形態における動作を示す斜視図及び断面図であり、図５（ａ）におけるＢ−Ｂ断面図が図５（ｂ）、図６（ａ）におけるＣ−Ｃ断面図が図６（ｂ）、図７（ａ）におけるＤ−Ｄ断面図が図７（ｂ）である。
【００３３】
まず、図２に示す状態は、２つの灰皿支持部材に挟まれた灰皿本体３が、開口部３０２が上方を向く位置となるように係止片２０１によって係止され、遊技機本体１に形成された灰皿蓋支持部材１０１に回動可能に設置された灰皿蓋４が、開口部３０２を覆い、係止片２０１と共に灰皿本体３を固定している状態である。すなわち、灰皿本体３が遊技者にとって使用不可な状態である。
【００３４】
次に、図５に示すように、灰皿蓋４を上方に跳ね上げるようにして回動させることにより、灰皿本体３の固定が解除され、遊技機本体１の前方方向に回動可能となるので、支持孔２０２及び支持軸３０１によって、開口部３０２が向く方向を上方から前面方向になるように灰皿本体３を回動させる。
【００３５】
次に、図６に示すように、回動させた灰皿本体３をそのままにして、一度上方に跳ね上げた灰皿蓋４を遊技機本体１側（跳ね上げた方向と反対の方向）に回動させる。具体的には、灰皿蓋４の裏面（灰皿蓋４が開口部３０２を覆ったときに開口部３０２の開口面に対向する面）を遊技機本体１の前面に当接する位置まで回動させる。このとき、図５（ｂ）に示すように、灰皿本体３を有効に回動させるために、灰皿蓋４の回動半径（遊技機１の前方方向の寸法）ｄ１と、灰皿本体３の回動半径ｄ２との関係が、ｄ１≦ｄ２となるように、灰皿支持部材２に設けられる支持孔２０２の位置が設定されるべきである。
【００３６】
その後、開口部３０２が向く方向を前面方向から上方になるように灰皿本体３を回動させると、図７に示すように、収納領域形成部３０３によって形成された収納領域に灰皿蓋４が収納された状態で灰皿が使用可能な状態（開口部３０２が灰皿蓋４に覆われることなく上方を向いている状態）となる。このように、回動可能とした灰皿蓋４を収納領域形成部３０３によって灰皿本体３の後面に形成された収納領域に収納する構成を採用したので、灰皿使用時に、遊技機への振動が与えられた場合でも遊技者の意に反して灰皿蓋が灰皿を覆ってしまうことがない。また、灰皿不使用時には、灰皿蓋４が灰皿本体３の回動動作を制限しているので、遊技機への振動が与えられた場合に、遊技者の意に反して灰皿本体３が回動してしまうことを防ぐことができる。さらに、灰皿蓋４を灰皿本体３の後面側に確保された収納領域に収納したので、見栄えのよい遊技機を提供することができる。
【００３７】
尚、以上説明したように、遊技者にとって使用不可とされた状態の灰皿を使用可能の状態にする動作の一方、灰皿を使用可能な状態から使用不可の状態にするためには、灰皿本体３を遊技機本体の前方方向に回動（開口部３０２が開口している方向が上方から遊技機本体１の前方方向となるように回動）させて、前記収納領域に収納された灰皿蓋４を回動可能な状態とし、その灰皿蓋４を遊技機本体１の前方方向（灰皿蓋４を、灰皿蓋４の裏面が灰皿本体３の後面に当接した位置から灰皿蓋４の裏面が開口部３０２の開口面に当接する位置に回動させる方向）に回動させ、灰皿蓋４が開口部３０２を覆った後、灰皿本体３を遊技機本体の後方方向に回動（開口部３０２が開口している方向が遊技機本体１の前方方向から上方となるように回動）させることで行われる。
【００３８】
（他の実施形態）
以下、本発明に係る遊技機の他の実施形態について図面を参照して説明する。
図８は、本発明に係る遊技機の他の実施形態を示す斜視図（図８（ａ））及びＥ−Ｅ断面図（図８（ｂ））である。図８に示すように、本実施形態における遊技機は、遊技機本体１の前面に設置された灰皿支持部材２と、灰皿支持部材２に回動可能に設置され、上方に開口部が形成され、かつ後面に収納領域が設けられた灰皿本体３と、灰皿本体３の開口部を覆う灰皿蓋４とを有してなり、灰皿蓋４は灰皿本体３に対して回動可能に灰皿本体３に設置されている。すなわち、前述した実施形態との構造上の違いは、灰皿蓋４を回動させるために灰皿蓋４の支持軸に対応する支持孔（詳しくはその支持孔を備えた灰皿蓋支持部材）が、遊技機本体１に設けられるのではなく、灰皿本体３に設けられた点である。
【００３９】
図９は、本発明に係る遊技機の他の実施形態における灰皿本体及び灰皿蓋の構造を示す斜視図であり、図９（ａ）は、本実施形態における灰皿本体の構造を示し、図９（ｂ）は、本実施形態における灰皿蓋の構造を示した斜視図である。
【００４０】
図９（ａ）に示すように、本実施形態の灰皿本体３は、上方に開口した開口部３０２を有した箱形状をなす。そして、灰皿本体３を回動させるための支持軸３０１が灰皿本体３の両側面の前方方向下端部に突出して設けられている。また、灰皿蓋４を灰皿本体３に対して回動させるために、灰皿蓋４の蓋用支持軸４０１（図９（ｂ）参照）に嵌合させる蓋用支持孔３０５を備えた突出部３０４が灰皿本体３の両側面の後方方向上端部に突出して設けられている。ここで、突出部３０４は、灰皿蓋４が開口部３０２を覆う状態と、灰皿蓋４の上面（灰皿蓋４において、灰皿が遊技者にとって使用不可とされた状態の、開口部３０２が開口している方向の面）が灰皿本体３の後面に対向する状態とに回動可能な程度に灰皿本体３の上方及び後方に突出するように設けられ、それに伴って蓋用支持孔３０５の形成位置も設定される。特に、突出部３０４の後方へ突出する寸法は、灰皿蓋４の厚さ寸法以上とされる。すなわち、前述の実施形態における収納領域形成部３０３が灰皿本体３の後面と共に灰皿蓋４を収納する収納領域を確保するのと同様の機能として、本実施形態における突出部３０４が灰皿本体３の後面と共に灰皿蓋４を収納する収納領域を確保するのである。
【００４１】
一方、灰皿本体３を支持する灰皿支持部材２は、前述の実施形態と同様、図３（ｂ）に示すように、灰皿本体３の両端に位置するように遊技機本体１に設置され、支持軸３０１を受ける支持孔２０２が、灰皿支持部材２が相互に対向する面における前方方向下端部に支持軸３０１が嵌合するように凹形状をなしている。従って、支持軸３０１と支持孔２０２とが嵌合することによって、遊技機本体１の前面に突出するように相互に対向した灰皿支持部材２の間で灰皿本体３が、上方に向いた開口部を前面方向に向かせるように回動可能となる。そして、遊技者が灰皿を使用するときの位置に灰皿本体３の下面を係止するための係止片２０１が、灰皿支持部材２が相互に対向する各々の面における前方方向下端部に設けられ、それら係止片２０１は相互に対向する方向に突出して形成されている。
【００４２】
また、灰皿本体３の開口部３０２を覆うための灰皿蓋４の形状は、図９（ｂ）に示すように、平板形状の本体４０の一端面に、蓋用支持孔３０５に嵌合させて灰皿蓋４を灰皿本体３に対して回動可能とするための蓋用支持軸４０１が形成されている。そしてこの蓋用支持軸４０１の両端部を、対向する２つの蓋用支持孔３０５にそれぞれ嵌合させることによって、灰皿蓋４は灰皿本体３に対して回動可能となる。また、灰皿本体３には上方に突出した突出部３０４が設けられるため、灰皿蓋４が良好に回動するために、平板形状の灰皿蓋本体４０における蓋用支持軸４０１近傍には突出部３０３に対応した切り欠きが形成されている。
【００４３】
次に、本発明に係る遊技機の他の実施形態における動作について図８及び図１０〜図１４を参照して以下に説明する。
【００４４】
図１０〜図１４は、本発明に係る遊技機の他の実施形態における動作を示す斜視図及び断面図であり、図１０（ａ）におけるＦ−Ｆ断面図が図１０（ｂ）、図１１（ａ）におけるＧ−Ｇ断面図が図１１（ｂ）、図１２（ａ）におけるＨ−Ｈ断面図が図１２（ｂ）、図１３（ａ）におけるＩ−Ｉ断面図が図１３（ｂ）、図１４（ａ）におけるＪ−Ｊ断面図が図１４（ｂ）である。
【００４５】
まず、図８に示す状態は、灰皿本体３が遊技者にとって使用不可な状態、すなわち、２つの灰皿支持部材に挟まれた灰皿本体３が、開口部３０２が上を向く位置に係止片２０１によって係止され、灰皿本体３に回動可能に設置された灰皿蓋４が、開口部３０２を覆い、係止片２０１と共に灰皿本体３を固定している状態である。
【００４６】
次に、図１０に示すように、灰皿蓋４によって開口部３０２を覆った状態で、支持孔２０２及び支持軸３０１によって、開口部３０２が向く方向を上方から前面方向になるように灰皿本体３を回動させる。このとき、前述の実施形態では、灰皿本体３が有効に回動するために、灰皿蓋４の回動半径（遊技機１の前方方向の寸法）ｄ１と、灰皿本体３の回動半径ｄ２との関係が、ｄ１≦ｄ２となるように、灰皿支持部材２に設けられる支持孔２０２の位置を設定する必要があったが、本実施形態では灰皿蓋４が開口部３０２を覆ったまま灰皿本体３と共に回動するのでその必要はない。
【００４７】
次に、図１１及び図１２に示すように、回動させた灰皿本体３をそのままにして、灰皿蓋４を上方に跳ね上げ、灰皿蓋４の上面（灰皿蓋４において、灰皿が遊技者にとって使用不可とされた状態の、開口部３０２が開口している方向の面）が灰皿本体３の後面に当接する状態となるまで回動させる。このようにすることで、突出部３０４及び灰皿本体３の後面によって確保された収納領域に灰皿蓋４が収納された状態となる。ここで、灰皿本体３を有効に回動させるために、このとき、図１２（ｂ）に示すように、灰皿蓋４の回動半径（遊技機１の前方方向の寸法）ｄ１と、灰皿本体３が回動して遊技機本体１に最大に離間したときの支持孔３０４の中心と遊技機本体１の前面との距離ｄ３との関係が、ｄ１≦ｄ３となるように、灰皿支持部材２に設けられる支持孔２０２の位置を設定する必要がある。
【００４８】
その後、図１３に示すように、灰皿蓋４の上面が灰皿本体３の後面に当接している状態で、灰皿本体３を開口部３０２が向く方向を前面方向から上方になるように回動させると、図１４に示すように、突出部３０４及び灰皿本体３の後面によって確保された収納領域に灰皿蓋４が収納された状態で、灰皿が使用可能な状態（開口部３０２が灰皿蓋４に覆われることなく上方を向いている状態）となる。このように、回動可能とした灰皿蓋４を突出部３０４によって灰皿本体３の後面に形成された収納領域に収納する構成を採用したので、灰皿使用時に、遊技機への振動が与えられた場合でも遊技者の意に反して灰皿蓋が灰皿を覆ってしまうことがない。また、灰皿不使用時には、灰皿蓋４が灰皿本体３の回動動作を制限しているので、遊技機への振動が与えられた場合に、遊技者の意に反して灰皿本体３が回動してしまうことを防ぐことができる。さらに、灰皿蓋４を灰皿本体３の後面に確保された収納領域に収納したので、見栄えのよい遊技機を提供することができる。加えて、遊技機本体１に何ら加工を施すことがないので、回動可能な灰皿蓋４を備えた灰皿ユニットとして、従来の遊技機に採用することができる。
【００４９】
尚、以上説明したように、遊技者にとって使用不可とされた状態の灰皿を使用可能の状態にする動作の一方、灰皿を使用可能な状態から使用不可の状態にするためには、灰皿本体３を遊技機本体の前方方向に回動（開口部３０２が開口している方向が上方から遊技機本体１の前方方向となるように回動）させて、前記収納領域に収納された灰皿蓋４を回動可能な状態とし、その灰皿蓋４を遊技機本体１の前方方向（灰皿蓋４を、灰皿蓋４の裏面が灰皿本体３の後面に当接した位置から灰皿蓋４の裏面が開口部３０２の開口面に当接する位置に回動させる方向）に回動させ、灰皿蓋４が開口部３０２を覆った後、灰皿本体３を遊技機本体の後方方向に回動（開口部３０２が開口している方向が遊技機本体１の前方方向から上方となるように回動）させることで行われる。
【００５０】
さらに、本発明に係る遊技機の他の実施形態について図１５を参照して以下に説明する。図１５は、本実施形態における灰皿本体の構造を示す斜視図である。図１５に示すように、本実施形態では、灰皿本体３の後端部における開口面近傍に突出部３０３を設けるだけでなく、灰皿本体３の両側面を延設し、それらを一体に連結した態様を採用したものである。このような態様を採用することによって、灰皿蓋４を収納する収納領域形成部としての突出部３０４の機械的強度が増し、灰皿の使用、不使用の反復動作を繰り返すことによって生じうる突出部３０４の破損を軽減することができる。尚、前記各実施形態においては、灰皿には煙草の灰や吸殻を貯留するものとしたが、小銭や携帯電話等の収納容器として利用される場合も含むことは言うまでもない。
【００５１】
以上の実施形態では、灰皿蓋４を収納するための収納領域形成部が灰皿本体３の後面に形成された態様を説明したが、その変形例として、遊技機本体１と下球皿１８との間に平板形状をなす裏板（図示せず）を介在させてもよい。このような形態においても、前記収納領域形成部は灰皿本体３の後面に形成されるが、下球皿１８としての灰皿支持部材２は、前記裏板に取り付けられることとなる。すなわち、前記裏板は、灰皿支持部材２に含まれる部材と言うこともできる。
【００５２】
次に、上記実施形態から把握できる技術的思想について以下に追記する。
（イ）  請求項５に記載の遊技機において、前記灰皿本体が遊技機本体に軸支された軸位置と、前記灰皿蓋が遊技機本体に軸支された軸位置とは、遊技機本体を基準とした灰皿本体の前後方向の寸法以上離間していると共に、前記灰皿本体は、前記寸法以上離間するように回動することを特徴とする遊技機。
【００５３】
（ロ）  請求項６に記載の遊技機において、前記灰皿本体は、前記灰皿蓋が軸支された軸位置が、前記遊技機本体の前面から前記灰皿蓋の前後方向の距離以上離間するように回動することを特徴とする遊技機。
【００５４】
【発明の効果】
以上説明したように、本発明によれば、遊技機本体の前面と灰皿本体との間に収納領域を設けたため、遊技機への振動が与えられた場合でも遊技者の意に反して灰皿蓋が灰皿を覆ってしまうことがない。また、灰皿蓋を上方に跳ね上げる態様の遊技機よりも見栄えのよい遊技機を提供することができる。さらに、灰皿蓋に複雑な形状を採用していないので、灰皿蓋の破損を未然に防ぐことができる。加えて、前記収納領域は、前記灰皿蓋をその厚さ方向が前記遊技機本体の前方方向となるように形成されるので、灰皿本体を備えた遊技機本体としての省スペース化を図ることができる。
【図面の簡単な説明】
【図１】本発明に係る遊技機の一実施形態における構成を示す前面図。
【図２】本発明に係る遊技機の一実施形態における構成を模式的に示す斜視図及び断面図。
【図３】本発明に係る遊技機の一実施形態における灰皿本体及び灰皿本体を支持する各部材の構成を示す斜視図。
【図４】本発明に係る遊技機の一実施形態における灰皿蓋の構造を示す斜視図。
【図５】本発明に係る遊技機の一実施形態における動作を示す斜視図及び断面図。
【図６】本発明に係る遊技機の一実施形態における動作を示す斜視図及び断面図。
【図７】本発明に係る遊技機の一実施形態における動作を示す斜視図及び断面図。
【図８】本発明に係る遊技機の他の実施形態における構成を模式的に示す斜視図及び断面図。
【図９】本発明に係る遊技機の他の実施形態における灰皿本体及び灰皿蓋の構造を示す斜視図。
【図１０】本発明に係る遊技機の他の実施形態における動作を示す斜視図及び断面図。
【図１１】本発明に係る遊技機の他の実施形態における動作を示す斜視図及び断面図。
【図１２】本発明に係る遊技機の他の実施形態における動作を示す斜視図及び断面図。
【図１３】本発明に係る遊技機の他の実施形態における動作を示す斜視図及び断面図。
【図１４】本発明に係る遊技機の他の実施形態における動作を示す斜視図及び断面図。
【図１５】本発明に係る遊技機の他の実施形態における灰皿本体の構成を示す斜視図。
【符号の説明】
１  遊技機本体
２  灰皿支持部材
３  灰皿本体
４  灰皿蓋
１０  パチンコ遊技機
１０１  灰皿蓋支持部材
１０２  蓋用支持孔
２０１  係止片
２０２  支持孔
３０１  支持軸
３０２  開口部
３０３  収納領域形成部
３０４  突出部
３０５  蓋用支持孔
４０１  蓋用支持軸
【図１】
2005040295.tif 000003
【図２】
2005040295.tif 000004
【図３】
2005040295.tif 000005
【図４】
2005040295.tif 000006
【図５】
2005040295.tif 000007
【図６】
2005040295.tif 000008
【図７】
2005040295.tif 000009
【図８】
2005040295.tif 000010
【図９】
2005040295.tif 000011
【図１０】
2005040295.tif 000012
【図１１】
2005040295.tif 000013
【図１２】
2005040295.tif 000014
【図１３】
2005040295.tif 000015
【図１４】
2005040295.tif 000016
【図１５】
2005040295.tif 000017